(57)【要約】      （修正有）【課題】車輛への移乗操作において、適切にかつ安定的に掴まることができ、車両のドア開度を任意の位置で保持でき、運転席から全開となったドアを閉める、あるいは全開にするのを安全に操作する。改造車扱いとなることがなく、同一の車両を使用する健常者にとっても不都合を生じさせない。【解決手段】ハンドル側部分１１は、分岐され、車両用ハンドルＡ表面の上半部に係止されるフック部と、フック部の下部にフック部を統合して車両用ハンドルＡ表面の下半部に連続する押さえ部と、押さえ部表面に取付軸を回転軸として回動可能に取り付けられる棒状部連結部とからなる。ドア側部分は、車両ドアＥの操作ポケットＢに挿入される。棒状部６１は、ハンドル側部分１１とドア側部分とを連結する棒状からなる。【選択図】図１
2014125004.tif 000002
【特許請求の範囲】
【請求項１】
分岐され、車両用ハンドル表面の上半部に係止されるフック部、
フック部の下部にフック部を統合して車両用ハンドル表面の下半部に連続する押さえ部、
押さえ部表面に取付軸を回転軸として回動可能に取り付けられる棒状部連結部とからなるハンドル側部分と、
車両用ドアの操作ポケットに挿入されるドア側部分と、
ハンドル側部分とドア側部分とを連結する棒状からなる棒状部とを有する、
車両ドア開閉保持装置。
【発明の詳細な説明】
【技術分野】
【０００１】
この発明は、車両ドア開閉保持装置に係る。詳細には、車椅子使用者が自動車等の車両を運転する場合、車椅子から車両の運転席への乗り換え、またその逆の操作をおこなうに際し、車椅子使用者は車両の天井に装着されたグリップ、ハンドル、ドアなどに掴まりながら乗降するが、そのとき車椅子使用者の乗降の補助となる車両ドア開閉保持装置に係る。
【背景技術】
【０００２】
特許文献１に記載の「自動車のハンドルの盗難防止装置」は、「自動車のハンドルに適用される機械的な盗難防止装置を提供する。」を解決課題とするものである。
そして、「キーが使用されない限りロックを不活性化する全ての試みを最小限にするように伸縮する棒部材１２のつめ車の歯４４を形成し、このつめ車の歯の形とともに、ロックのつめの機構を、つめを引っ込ませるためにつめとつめ車の歯との間にくさびなどが容易に挿入されるのを防ぐように、棒部材の周辺と協同し又はそれと一致するようなサイズにする、弓形の横方向に延在する頂部の線又は表面を含むように形成する。」に係る。
【０００３】
特許文献２に記載の「自動車用ドアのアシストグリップ構造」は、「特に子供や老人が車室内において立ち上がったり乗降する際にドアの一定開閉度を確実に保持して、乗員のより良い安全を達成する。」を解決課題とするものである。
そして、「ドアトリム１１の左右両端部に上下方向にオフセットした状態で、第１の取付け孔１６、１７を設け、取付け孔１６、１７には、アシストグリップ１４の両端部を挿通した後、ドア本体２１に取付けてある。アシストグリップ１４の中途部が階段状になるように複数個折曲２０ａ，２０ｂ，２０ｃされて、その両端部が第１の取付け孔１６、１７に合わせてオフセットされ、折曲部２０ａ，２０ｂに形成された取付け杆体１４ａ，１４ｂがドアトリム１１の第２及び第３の取付け孔１８、１９を挿通して、ドア本体２１に取付けてある。この結果、アシストグリップ１４がドアトリム２１の略全幅に渡って延在している。」に係る。
【０００４】
特許文献３に記載の「自動車の乗降用アシストグリップ」は、「フロントサイドドアの開放時に自動的にその前端部及びインスルメントパネル側部間に用意される自動車の乗降用アシストグリップを提供する。」を解決課題とするものである。
そして、「アシストグリップ本体１０の基端部をフロントサイドドア１の前端部に上下に回動自在に枢着すると共に、アシストグリップ本体１０を侵入させるグリップ収納部３０をインストルメントパネル５の側部に設ける。アシストグリップ本体１０をほぼ水平の上限位置に向けて付勢するばねを前述の前端部又はグリップ収納部３０に設け、ばね力に抗してほぼ水平の下限位置へ押されたアシストグリップ本体１０を横断方向の移動が不可能に拘束するロック機構をグリップ収納部３０に設けた。」に係る。
【０００５】
特許文献４に記載の「車両用ドアの乗降用アシストグリップ構造」は、「ドア開放時にアシストグリップ本体の引き出しに連動させてドアを開放位置にロックし、乗降時の乗員を確実に支えることができる安全で使いやすいアシストグリップの構造を提供する。」を解決課題とするものである。
そして、「車両用ドア２のドアトリム３のアームレスト４に収納され、乗員乗降時に引き出されて使用されるグリップ６と、一端がドア２側に連結されてグリップ６を収納状態と引き出し状態とに移動可能に支持する支持アーム７とから構成されるアシストグリップ本体５と、グリップ６が引き出された際にドア２の揺動を禁止するロック手段３０とを設けた。」に係る。
【先行技術文献】
【特許文献】
【０００６】
【特許文献１】特開平６―２１９２４２号公報
【特許文献２】特開平１１―２０５３０号公報
【特許文献３】特開平１１―３３４４４６号公報
【特許文献４】特開２００８―２３８８９６号公報
【発明の概要】
【発明が解決しようとする課題】
【０００７】
特許文献１記載の「自動車のハンドルの盗難防止装置」は、盗難の防止を目的とするものであって、車両ドアの固定にはならない問題点を有した。
特許文献２記載の「自動車のハンドルの盗難防止装置」は、運転手向けではなく、同乗者向けである。そのため、運転手の車両シートと車椅子の移乗時の軌道上に掴まる部分を作ることはできない。車両のドアを機械的に固定・保持するものではなく、ドア開閉操作には使用できず、車両の改造が必要である。更に、常に設置されるので、不必要な健常者の乗員の不都合となる可能性がある。また、室内側に出っ張るので室内寸法が狭くなる。等の問題点を有する。
【０００８】
特許文献３記載の「自動車の乗降用アシストグリップ」は、車両シートと車椅子の移乗時の軌道上に掴まる部分を作ることができず、届かない。グリップ部に入力があった場合のみの器具であって、ドアを持った場合は、動いてしまうので、車両のドアを常に固定・保持するものではない。ドアの開閉操作には、使用できない。車両への改造が必要である。常に設置されているため、アシストグリップが不要な健常者の運転手には不都合となる。等の問題点を有する。
特許文献４記載の「車両用ドアの乗降用アシストグリップ構造」は、車両シートと車椅子の移乗時の軌道上に掴まる部分を作ることはできない。特に、車両シートから降りる際に着座姿勢のままでは届かないので、ドア開閉操作には使用できない。車両の改造が必要であり、常に設置されるため、要な健常者の運転手には不都合となる。等の問題点を有する。
【０００９】
すなわち、車椅子使用者が自動車等の車両を運転する場合、車椅子から車両の運転席への乗り換え、またその逆の操作をおこなうが、そのとき、車椅子使用者は車両の天井に装着されたグリップ、ハンドル、ドアなどに掴まりながら乗降する。しかし、それらの部品は必ずしも適切とはいえなかった。
【００１０】
天井に装着されたアシストグリップは、天井に装着されているため、車椅子に着座状態では、届かない場合がある問題点を有した。また、手先の不自由な場合や握力の低下がある場合には握ることができず、意味をなさない問題点を有した。
【００１１】
従来は、自動車用ドアは、開いた状態では保持されておらず、水平方向に動くため掴まる部品としては不安定である。自動車用ドアの開閉動作の途中で止めたときは、風あるいは坂道の途中で車両を停止させた乗降時には、自動車用ドアは勝手に開閉動作する可能性がある。
自動車用ドアを全開状態にすれば外側にドアは保持される。しかし、上体が不安定な車椅子使用者の意見としては、運転席から車外へ身体を乗り出すとき、壁となるドアが車椅子使用者の近くに無いと、恐怖感を感じる場合があるとの意見がある。
また、全開状態の自動車用ドアは、運転席から腕の長さと同等又はそれ以上の距離があるため、運転席付近での補助とはならない。また、車椅子から運転席に移乗した後に自動車用ドアに手が届かず、閉めるのに労力を伴うばかりか、車両の外側に身体を出すことは車椅子使用者の車外への落下などの危険を伴う。
運転席から、車椅子使用者が車椅子に移乗する前に、ドアを全開にするのも同じことがいえる。
【００１２】
これら問題点を解決するため、車椅子使用者の用途に合わせて、車両にグリップを設けることも考えられる。しかし、以下の問題を有する。
車両の部品形状、強度要件等により希望の位置に取付られない場合があり、車両に個別の加工をすることは、一般的に高価になりやすい一方、中古車としての価値は下がりやすい。
デザイン的な見栄えを損なう。また、多くの改造部品をつけると改造車であることが、車両外側から判り望ましくない。すなわち、車椅子使用者の心理として、改造車であることが外部から判らないようにしたいという意見がある。
同一の車両を使用する健常者等にとっては、乗降や運転操作にかえって不都合となる場合がある。
【００１３】
これらのことから、車椅子使用者が車両に移乗するにあたり、取り組むべき課題としては以下の事項がある。
従来は、車両への移乗操作において、適切にかつ安定的に掴まる部分が無かった。車両のドア開度を任意の位置で保持できない。運転席から全開となったドアを閉める、あるいは全開にするのに労力を要し、安全に操作するには困難な場合がある。
ベース車両のデザインに影響があり、改造車扱いとなる可能性がある。同一の車両を使用する健常者にとっては、改造装備が不都合となる。等である。
【課題を解決するための手段】
【００１４】
この車両ドア開閉保持装置は、
分岐され、車両用ハンドル表面の上半部に係止されるフック部、
フック部の下部にフック部を統合して車両用ハンドル表面の下半部に連続する押さえ部、
押さえ部表面に取付軸を回転軸として回動可能に取り付けられる棒状部連結部とからなるハンドル側部分と、
車両ドアの操作ポケットに挿入されるドア側部分と、
ハンドル側部分とドア側部分とを連結する棒状からなる棒状部と、
を備える。
【発明の効果】
【００１５】
本発明によれば、
車両への移乗操作において、適切にかつ安定的に掴まることができ、車両のドア開度を任意の位置で保持でき、運転席から全開となったドアを閉める、あるいは全開にするのを安全に操作することができる。
改造車扱いとなるがなく、同一の車両を使用する健常者にとっても不都合を生じない。
【図面の簡単な説明】
【００１６】
【図１】この発明の実施の形態に係る車両ドア開閉保持装置の使用状態の斜視図である。
【図２】この発明の実施の形態に係る車両ドア開閉保持装置の一部拡大斜視図である。
【図３】この発明の実施の形態に係る車両ドア開閉保持装置のハンドル側部分の正面拡大図である。
【図４】この発明の実施の形態に係る車両ドア開閉保持装置のハンドル側部分の一部拡大側面図である、図３ａａ断面図である。
【図５】この発明の実施の形態に係る車両ドア開閉保持装置のハンドル側部分の一部拡大側面図である。
【図６】この発明の実施の形態に係る車両ドア開閉保持装置のドア側部分の一部拡大正面図である。
【図７】この発明の実施の形態に係る車両ドア開閉保持装置のドア側部分の一部拡大断面図である。
【図８】この発明の実施の形態に係る車両ドア開閉保持装置の棒状部の第１実施例の一部拡大図である。
【図９】この発明の実施の形態に係る車両ドア開閉保持装置の棒状部の第２実施例の一部拡大正面図である。
【図１０】この発明の実施の形態に係る車両ドア開閉保持装置の棒状部の第２実施例の一部拡大平面図である。
【図１１】この発明の実施の形態に係る車両ドア開閉保持装置の車両用ドアを全開で使用状態の斜視図である。
【図１２】この発明の実施の形態に係る車両ドア開閉保持装置の車両用ドアを半開で使用状態の斜視図である。
【図１３】この発明の実施の形態に係る車両ドア開閉保持装置の車両用ドアを半開で使用状態の斜視図である。
【発明を実施するための形態】
【００１７】
この発明に係る車両ドア開閉保持装置を説明する図１乃至図１３にしたがって説明する。
この発明に係る車両ドア開閉保持装置は、ハンドル側部分１１と、ドア側部分５１と、棒状部６１とからなる。Ａは車両用ハンドル、この実施の形態では、自動車用ハンドル、Ｂは運転席側の車両用ドアのドアポケット部、Ｃは運転席側の車両用ドアのドアトリム、Ｄは車椅子、Ｅは車両用ドア、Ｆは車両の運転席である。
【００１８】
１１は、車両ドア開閉保持装置のハンドル側部分である。ハンドル側部分１１は、フック部２１と、押さえ部３１と棒状連結部４１とからなる。
フック部２１は板状態からなり、図３に図示されるように、２に分岐される。フック部２１はそれぞれ、車両用ハンドルＡ表面の上半部に係止される。
３１は押さえ部である。押さえ部３１はフック部２１と同様板状態からなり、分岐されたフック部２１の下部にフック部２１を統合して連続され、フック部２１と押え部３１とでＹ字型を形成する。
押さえ部３１は、車両用ハンドルＡ表面の下半部に被覆される。
４１は、棒状部連結部である。棒状部連結部４１は、中空のパイプ状からなる。棒状部連結部４１は、押さえ部表面に取付軸４２を回転軸として押さえ部３１表面に対して平行に回動可能に取り付けられる。
【００１９】
５１は、ドア側部分である。ドア側部分５１は、車両用ドアＥのドアポケットＢに挿入可能な外形からなり、車両ドアＥの操作ポケットＢに挿入される。
ドア側部分５１樹脂あるいはウレタン製からなる。
５２は取り付け軸である。取り付け軸５２は、棒状部６１に軸方向に回動自在に取り付けられるため、ドア側部分５１は棒状部６１に回動自在となる。
【００２０】
６１は、棒状部である。棒状部６１は、棒状の中空パイプからなり、ハンドル側部分１１とドア側部分５１とを連結する。
棒状部６１のハンドル側部分１１端には、棒状部６１に垂直に突出する軸部６２が設けられる。軸部６２は、ハンドル側部分１１との連結時には、中空パイプ状の棒状連結部４１の中空内に挿入される。不使用時には、軸部６２を棒状連結部４１から抜く。
棒状部６１は、握りやすい太さの円形断面からなり、ターンバックルあるいはピン結合により長さを任意に調整することが可能である。
【００２１】
第１実施例を表す図８に図示されるように、棒状部６１の第１実施例では、棒状部６１の中間部には、メネジ部６３、ナット６４、オネジ部６５が設けられる。メネジ部６３が設けられた棒状部６１の一方に、回転自在のオネジ部６５が設けられた棒状部６１の他方を差し込み、差し込み量を調整しながら、ナット６４でオネジ部６５を固定し、棒状部６１の全体寸法を調整する。オネジ部６５は、丸ネジなど、握っても痛くない形状からなり、操作性を重視して、ピッチの荒いものが望ましい。あるいは、蛇腹のゴムカバーを被覆することで、握っても痛く無いようにすることが望ましい。
【００２２】
図９、図１０に図示される、棒状部６１の第２実施例では、棒状部の長さの調整は、ストッパピン６６、復帰バネ６７により行われる。棒状部６１は中間で２の部分に分けられ、一方が他方に差し込まれる。差し込まれた棒状部６１の一方には、ストッパピン６６が差し込まれて固定され、棒状部６１の伸縮は停止される。ストッパピン６６先端には復帰バネ６７が取りつけられる。ストッパピン６６にはベルト等が取り付けられ、操作者の便宜となる。
ストッパピン６６が挿入される棒状部６１には、図１０に図示されるように上面にストッパピン挿入孔６８が複数設けられている。ストッパピン６６が挿入されるストッパピン挿入孔６８を選択して、ストッパピン６６を挿入して係止することで、棒状部６１全体の長さを選択することが可能である。
【００２３】
この発明の車両ドア開閉保持装置は、図１、図１１乃至図１３に図示されるように使用される。
すなわち、車両ドア開閉保持装置がハンドルＡとドアポケット部Ｂとの間に設置されると、車椅子使用者は、図１に図示されるように、棒状部６１に掴まりながら、車椅子Ｄから移動操作をすることができる。車両用ドアＥはこの実施の形態に係る車両ドア開閉保持装置で保持されているので、ドアを車椅子使用者は掴まる部分として使用することができる。
【００２４】
図１１に図示されるように、車両用ドアＥは全開状態で保持され、移乗の軌道上にある棒状部６１に掴まりながら、広いスペースで移乗できる。
図１２に図示されるように、車両用ドアＥは希望の位置、例えば半開状態で保持され、移乗の軌道上にある棒状部６１、ドアＥに掴まり、車両用ドアＥの存在による安心感を得ながら移乗できる。
図１３に図示されるように、車両用ドアＥは運転席ＦからドアＥを開閉することができる。
【００２５】
すなわち、この発明の実施の形態では、車両用ハンドルＡとドアノブまたはリム上端を接続する車両ドア開閉保持装置を設置し、車椅子Ｄと運転席Ｆの移乗時に棒状部分６１に掴まることができる。
車両ドア開閉保持装置により、車両用ドアＥの開度を任意の位置で固定、保持できる。
車両ドア開閉保持装置により、運転席Ｆから大きく姿勢を変えずに車両用ドアＥを閉めたり、開けたりすることができる。
車両ドア開閉保持装置は、使用時のみ取り付けるもので、車両の改造は必要なく、使用しないときはコンパクトに収納することができる。
【符号の説明】
【００２６】
１１  ハンドル側部分
２１  フック部
３１  押さえ部
４１  棒状部連結部
４２  取付軸
５１  ドア側部分
６１  棒状部
Ａ    車両用ハンドル
Ｂ    ドアポケット部
Ｃ    ドアトリム
Ｄ    車椅子
Ｅ    車両用ドア
Ｆ    運転席
【図１】
2014125004.tif 000003
【図２】
2014125004.tif 000004
【図３】
2014125004.tif 000005
【図４】
2014125004.tif 000006
【図５】
2014125004.tif 000007
【図６】
2014125004.tif 000008
【図７】
2014125004.tif 000009
【図８】
2014125004.tif 000010
【図９】
2014125004.tif 000011
【図１０】
2014125004.tif 000012
【図１１】
2014125004.tif 000013
【図１２】
2014125004.tif 000014
【図１３】
2014125004.tif 000015